(57)【要約】【課題】一般的なブラケットと同様に取り扱うことが可能であり、かつ、必要に応じてカバー部材を取り付けて面格子の防犯性及び意匠性を向上させることが可能なブラケットを提供することである。【解決手段】ブラケット本体１にキャップ１０Ａを押し当てると前板１８の下部に形成されたフック部と係止用凹部３とが係合する。また、フック部１１と連結片５とが係合する。この結果、ブラケット本体１とキャップ１０Ａとが強固に係合する。  さらに、ブラケット本体１を挟んでキャップ１０Ａと反対側からキャップ１０Ｂを押し当てると係止凹部１２とフック部１３とが係合する。その結果、ブラケット本体１を挟んだ状態でキャップ１０Ａとキャップ１０Ｂとが強固に係合する。【選択図】  図６
2005090031.tif 000002
【特許請求の範囲】
【請求項１】
ブラケット本体とカバーとからなるブラケットであって、
前記ブラケット本体は、固定部材が挿入される固定孔を有し、前記固定部材を介して壁面に固定され、第１の係止部が形成された固定部と、
締結部材が挿入される締結孔を有し、前記締結部材を介して面格子が取り付けられる格子取付部と、
前記固定部および前記格子取付部を連結する連結部と、を備え、  
前記カバーは、
前記第１の係止部に係合する第１の係止片、第２の係止部、及び前記連結部に係合する係合片を含み、一方から前記固定部と前記連結部とを覆う第１カバー部と、
前記第２の係止部に係合する第２の係合片を含み、他方から前記連結部を覆う第２カバー部と、
を備えたことを特徴とするブラケット。
【請求項２】
前記連結部は、前記固定部と前記格子取付部との間の距離を伸縮させる伸縮機構を備えたことを特徴とする請求項１に記載のブラケット。
【発明の詳細な説明】
【技術分野】
【０００１】
この発明は、住居の開口部などに設置される面格子の取付に使用されるブラケットに関するものである。
【背景技術】
【０００２】
従来、住居等の建築物の窓の外側に取り付けられる面格子の防犯性を高める技術として、ブラケットを住居の壁面に固定する際に、特殊な工具がないと回すことができないネジや通常のドライバ等では締め付ける方向にしか回すことのできないネジ等の特殊な形状をしたネジが使用されることがあった。つまり、この特殊な形状をしたネジを使用することにより、外部から面格子が取り外される危険性を減じて防犯性を高めていた。
【０００３】
ところが、特殊な形状のネジや特殊な工具は、通常コストがかかるという不都合がある。また、特殊な形状のネジや特殊な工具を使うことに慣れている者の数が少ないという事情もあるため、なるべく一般的に使用されているネジや工具を使用して面格子の取付を行った方が作業効率が向上する。さらに、面格子の取付時にブラケットを壁面に固定するためのネジ等が外部に露出しているため美観性を損ねる虞があった。
【０００４】
そこで、従来の技術の中には、特殊な形状のネジ等を使用することなく外部から面格子が取り外されることを防止するために、面格子を取り付けたときに窓用サッシに固定されるブラケット基部が面格子によって覆われるような形状のブラケットを使用した面格子の取付構造がある（例えば、特許文献１参照。）。この特許文献１に記載の技術によれば、防犯性と意匠性に優れた面格子の取付構造を提供することが可能である、とされている。      
【特許文献１】特開平１０−１９６２４２号公報
【発明の開示】
【発明が解決しようとする課題】
【０００５】
しかしながら、上述の特許文献に面格子の取付構造を実現するためには、ブラケットの構造を大きく変更する必要が生じるため、このブラケットを通常のブラケットと同様に取り扱うことが困難になる。つまり、特許文献１に記載のブラケットを使用した場合には面格子の取付方法が一般の取付方法と相違するため、面格子を取り付ける際の作業効率が低下する虞がある。また、ブラケットに汎用性がないため、コスト高になるという不都合がある。
【０００６】
この発明の目的は、一般的なブラケットと同様に取り扱うことが可能であり、かつ、必要に応じてカバー部材を取り付けて面格子の防犯性及び意匠性を向上させることが可能なブラケットを提供することである。
【課題を解決するための手段】
【０００７】
この発明は、上記の課題を解決するための手段として、以下の構成を備えたものである。
【０００８】
（１）この発明は、ブラケット本体とカバーとからなるブラケットであって、
前記ブラケット本体は、固定部材が挿入される固定孔を有し、前記固定部材を介して壁面に固定され、第１の係止部が形成された固定部と、
締結部材が挿入される締結孔を有し、前記締結部材を介して面格子が取り付けられる格子取付部と、
前記固定部および前記格子取付部を連結する連結部と、を備え、
前記カバーは、
前記第１の係止部に係合する第１の係止片、第２の係止部及び前記連結部に係合する係合片を含み、一方から前記固定部と前記連結部とを覆う第１カバー部と、前記第２の係止部に係合する第２の係合片を含み、他方から前記連結部を覆う第２カバー部と、
を備えたことを特徴としている。
【０００９】
この構成では、壁面に固定されたブラケット本体に対して第１カバー部が一方から押し付けられると、第１の係止片と固定部にある第１の係止部、第１カバー部の係合片と連結部とが係合し、ブラケット本体と第１のカバー部とが一体となる。また、第１のカバー部が取り付けられたブラケット本体に対して、さらに第２のカバー部を他方より押し付けると第１カバー部の第２の係止部と第２カバー部の第２の係合片が係合し、第１のカバー部と第２のカバー部とが一体となる。
【００１０】
（２）この発明は、前記連結部は、前記固定部と前記格子取付部との間の距離を伸縮させる伸縮機構を備えたことを特徴とする。
【００１１】
この構成では、連結部に伸縮機構が形成されている。この伸縮機構の一例として、連結部を２つ片に分割し、各片が互いにスライド自在に連結される構成が考えられる。例えば、一方の片に長孔を形成するとともに、この長孔に挿入され、かつ、ネジ切りされた留め具を他方の片に取り付けるとよい。連結部を伸縮させるときには、連結部が所望の長さになるまで各片を互いにスライドさせ、連結部が所望の長さになったときに留め具が締め付けられる。また、伸縮機構に長孔および留め具がそれぞれ２つ以上含まれる場合には、１つの留め具については長孔に挿入された後に先端がカシメられるリベット等を用いるようにしてもよい。
【発明の効果】
【００１２】
この発明によれば、以下の効果を奏することができる。
【００１３】
（１）第１カバー部と第２カバー部によってブラケット本体の固定部と連結部を覆うことによって、面格子を取り付けたときに壁面にブラケット本体を固定するための固定部材と連結部にある伸縮機構の部品がカバー部材によって覆われて外部に露出することが無いため、面格子の美観性を保つことができる。また、ネジのいたずらなどを防いだり、防犯性を向上させることが可能になる。さらに、ブラケット本体の塗装を簡略化したり、防食効果を高めることができる。
【００１４】
（２）前記固定部と前記格子取付部との間の距離を伸縮させることにより、面格子の固定部と格子取付部の距離を自由に調節することができる。
【発明を実施するための最良の形態】
【００１５】
以下図を用いて、本発明のブラケットの実施形態を説明する。
【００１６】
図１は、本発明のブラケットの使用状態の一例を示している。同図に示すように、住居の窓の外側に面格子２０を取り付けて防犯性を高める方法が従来から広く用いられている。ここで、従来のブラケットを使用した場合、ブラケットを壁面２１に固定するためのネジ等の固定部材が外部に露出するという不都合があった。本発明は、容易にブラケットキャップ１０を取り付けることが可能な形状のブラケット本体１（以下、単にブラケットという。）を用いることにより、ブラケット１を壁面に固定するための部材が外部に露出することを防止して面格子の美観性及び防犯性を向上させることを特徴とするものである。  なお、ここではクロスの取付にブラケット１を用いたが、ブラケット１を他の種類の面格子の取付に用いることも可能である。
【００１７】
図２は本実施形態におけるブラケット本体１の構成を示す図である。ここでは、本発明のカバーとしてのブラケットキャップ１０を取り付ける前のブラケット１の状態を示してある。また、図３はブラケット１を用いた面格子の取付構造の一例を示す図である。まず、図２および図３を用いて本実施形態に係るブラケット１の構成を説明する。本実施形態におけるブラケット１は、ステンレス素材が用いられており、住居の壁面２１に固定される固定片６と、面格子２０が取り付けられる格子取付片４と、固定片６および格子取付片４を連結する連結片５とで構成される。図に示すように、固定片６、連結片５、および格子取付片４はそれぞれの間で略直角に折り曲げられている。ただし、折曲角度は必ずしも９０度にする必要はなく、ブラケット１が使用される場所や、ブラケット１に必要とされる強度などを考慮して適当な接曲角度にすることも可能である。
【００１８】
本実施形態では、固定片６が本発明の固定部を構成し、連結片５が本発明の連結部を構成し、格子取付片４が本発明の格子取付部を構成する。また、固定片６、連結片５、および格子取付片４の配置は上述の構成に限定されるものではなく、接曲角度を変更するなどによりブラケット１の形状のバリエーションを増加することが可能である。例えば、格子取付片４と連結片５とを同一平面状に配置することで、ブラケット１をＬ字状にすることが可能である。このＬ字状のブラケットをブラケット１とともに用いると、面格子の一端をある壁面２１に固定するとともに、他端をこの壁面２１直交する壁面に固定することが可能になる等、面格子の取付構造の自由度が向上する。
【００１９】
格子取付片４は、角が丸く加工された長方形の板状の部材であり、ブラケットの一方の端部側に配置される。また、格子取付片４は、面格子２０と格子取付片４とを締結するためのネジ８が挿入される孔９ａを有している。図３に示すように、ブラケット１に面格子２０を取り付ける際に、格子取付片４と面格子２０とが固定される。このとき、面格子２０のフレームの一部及び格子取付片４がネジ８と裏板７とによって挟み込まれて固定される。
【００２０】
ブラケット１の他方の端部側には、板状の固定片６が配置されている。固定片６は、ブラケット１を壁面２１に固定するためのネジが挿入される孔９ｂを有している。また、固定片６には、正面の断面が台形状の係止用凹部３が形成されている。本実施形態では係止用凹部３が本発明の第１の係止部を構成する。なお、図３に示すように固定片６の孔９ｂにネジ等の固定部材が挿入されて壁面に固定部材がねじ込まれることにより固定片６が壁面２１に固定される。
【００２１】
連結片５は上述の格子取付片と固定片６とを連結するための部材である。連結片５は、固定片６と格子取付片４との間の距離を伸縮させる伸縮機構を備えている。この伸縮機構は留め具５２とリベット５３を有する連結片５の一方の片５ａと、留め具５２およびリベット５３が挿通される長い貫通孔５１Ｂ、５１Ａを有する連結片５の他方の片５ｂとで構成される。連結片５を伸縮させるときは、連結片５が所望の長さになるまで各片（５ａ、５ｂ）を互いにスライドさせ、連結片５が所望の長さになったときに留め具５２が締め付けられる。リベット５３は、貫通孔５１Ａに通された後カシメ加工等がされるため、２つの片（５ａ、５ｂ）が分離することがない。このため、２つの片（５ａ、５ｂ）が分離して自然落下やいたずら等で分解されない。なお、本実施形態ではブラケット１が伸縮機構を備えているが、伸縮機構を備えていないブラケットを用いることもできる。。
【００２２】
図４は、ブラケット１に取り付けられるブラケットキャップ１０の構成を示している。本実施形態におけるブラケットキャップ１０は、硬質樹脂性素材が用いられておりキャップ１０Ａとキャップ１０Ｂから成っている。本実施形態において、キャップ１０Ａは本発明の第１カバー部を構成する。また、本実施形態において、キャップ１０Ｂは本発明の第２カバー部を構成する。
【００２３】
キャップ１０Ａは固定片６及び連結片５を覆う形状を呈しており、被覆板１５、側板１６、天板１７、および前板１８を含んでいる。被覆板１５は略Ｌ字状に折り曲がった長方形の薄板状を呈し、固定片６に対向する面および連結片５の正面側に対向する面を有する。側板１６は略Ｌ字状の薄板状を呈し、被覆板１５における幅方向（図中のＸ軸方向）両端部に取り付けられる。被覆板１５の高さ方向（図中のＺ軸方向）の端部には、長方形状の天板１７が取り付けられる。天板１７には、所定範囲に切欠き１９が形成されている。被覆板１５における残りの端部には、長方形薄板状の前板１８が取り付けられる。側板１６における厚み方向（図中Ｙ方向）の端部において、フック部１１および係止凹部１２が高さ方向（図中Ｘ方向）に沿って形成されている。本実施形態では、フック部１１および係止凹部１２はそれぞれ２つずつ設けられている。フック部１１は、連結片５に係合する本発明の係合片を構成する。係止凹部１２は、本発明の第２の係止部を構成する。さらに、前板１８の下部には、係止用凹部３と係号する図示しないフック部が設けられており、このフック部は第１の係止片を構成する。
【００２４】
一方キャップ１０Ｂは、連結片の背面側に対向する被覆板１５′を有している。被覆板１５′は、長方形の薄板状を呈している。被覆板１５′の幅方向の両端部には側板１６′が取り付けられる。さらに、被覆板１５′の高さ方向の一端には天板１７′が取り付けられる。側板１６′には、高さ方向に沿って２つのフック部１３が形成される。フック部１３は、本発明の第２の係合片を構成する。
【００２５】
キャップ１０Ａおよびキャップ１０Ｂの各部のサイズが特定の値に限定されることはないが、以下の条件を満たしている必要がある。キャップ１０Ａおよびキャップ１０Ｂを係合させたときに、係止凹部１２とフック部１３とが適正に係合するように、高さ方向における適正な位置に係止凹部１２とフック部１３とがそれぞれ形成されること。
【００２６】
また、キャップ１０Ａおよびキャップ１０Ｂを係合させたときの外観性を考慮すると、キャップ１０Ａおよびキャップ１０Ｂの高さ方向の長さが等しいことが望ましい。
【００２７】
上述の構成においてブラケット本体１にキャップ１０Ａを押し当てると前板１８の下部に形成されたフック部と係止用凹部３とが係合する。また、フック部１１と連結片５とが係合する。この結果、図５に示すように、ブラケット本体１とキャップ１０Ａとが強固に係合する。
【００２８】
さらに、ブラケット本体１を挟んでキャップ１０Ａと反対側からキャップ１０Ｂを押し当てると係止凹部１２とフック部１３とが係合する。その結果、図６に示すように、ブラケット本体１を挟んだ状態でキャップ１０Ａとキャップ１０Ｂとが強固に係合する。
【００２９】
このとき、キャップ１０Ａおよびキャップ１０Ｂによってブラケット本体１の固定片６と連結片５とが覆い隠される。なお、キャップ１０Ａとキャップ１０Ｂが係合した状態では、上述の切欠き１９が開口部を形成する。
【図面の簡単な説明】
【００３０】
【図１】本発明のブラケットの使用状態の一例を示す図
【図２】本実施形態におけるブラケット１の構成を示す図
【図３】ブラケット１を用い面格子の取付構造の一例を示す図
【図４】ブラケット１に取り付けられるブラケットキャップ１０の構成を示す図
【図５】一方のキャップ１０Ａをブラケット１に取り付けたときを示す図
【図６】他方のキャップ１０Ｂをブラケット１に取り付けたときを示す図
【図１】
2005090031.tif 000003
【図２】
2005090031.tif 000004
【図３】
2005090031.tif 000005
【図４】
2005090031.tif 000006
【図５】
2005090031.tif 000007
【図６】
2005090031.tif 000008